(57)【要約】【課題】眼鏡の使用中におけるずり落ちを防止すること。【解決手段】眼鏡のツル（５）の耳に掛ける部分の表面に印象剤を盛り付け、該印象剤が固化しないうちに耳裏の側頭部の形状になじませ、そのまま固化させる。これにより、ツルの耳に掛ける部分に印象剤からなるずり落ち防止部材（１０）が形成される。このずり落ち防止部材をあらためて接着剤でツルに接着固定する。この眼鏡は、ツルの耳に掛ける部分の形状が使用者の耳裏の側頭部形状に適合した形状となるので、眼鏡を掛けたときに耳とツルとの間に遊びがなくなり、眼鏡がしっかりと保持される結果、ずり落ちしにくくなる。【選択図】図１
2010060581.tif 000002
【特許請求の範囲】
【請求項１】
眼鏡のツルの耳に掛ける部分の表面に微細な凹凸を形成する工程と、該微細な凹凸が形成されたツルの表面に適量の印象剤を盛り付ける工程と、該印象剤が固化しないうちに当該印象剤を盛り付けたツルを耳に掛けて該印象剤を眼鏡使用者の側頭部になじむ形状に成形する工程と、前記側頭部になじむ形状に成形された印象剤をそのまま固化させる工程と、固化した印象剤の塊をツルの表面に接着剤で接着固定する工程とを経て、使用者の側頭部になじむ形状の印象剤の塊が眼鏡のツルに取り付けられた眼鏡を得ることを特徴とする眼鏡のずり落ち防止加工方法。
【請求項２】
眼鏡のツルの耳に掛ける部分に、使用者の側頭部になじむ形状に成形された印象剤の塊からなるずり落ち防止部材が取り付けられていることを特徴とする眼鏡。
【発明の詳細な説明】
【技術分野】
【０００１】
本発明は、眼鏡のずり落ちを効果的に防止できる方法、およびずり落ちしにくい眼鏡に関するものである。
【背景技術】
【０００２】
眼鏡は、レンズと、該レンズを保持するフレームとで構成されるのが一般的である。フレームは、レンズを保持する部分と、該レンズを保持する部分の左右両端部に蝶番式に取り付けられ顔の側部を通って後方へ伸びる左右一対のツルとを備えている。一般的な眼鏡では、このツルの後端部は下向きに湾曲しており、この部分を耳の裏と側頭部との間に引っ掛けるようになっている。
【０００３】
上記一般的な眼鏡は、ツルの後端部を耳に引っ掛けるので、常時は眼鏡が顔面に保持された状態となるが、顔や頭部に固着されているわけではないので、衝撃を受けたときに脱落したり、使用中に次第にずり落ちてくることが多かった。このずり落ちを放置すると、眼球とレンズとの距離が変化するので、正常な視界を維持することができなくなる。また、体を動かすとき等に眼鏡がずり落ちそうになるので、気がかりであるという問題も生じる。
【０００４】
眼鏡のずり落ち防止については、例えば下記特許文献に例示するように、従来から種々工夫がなされており、それなりの効果が期待できるものもある。しかしながら、いまだ十分に満足できるものは得られていないのが実情である。
【特許文献１】特開２００４−７７６３９号公報
【特許文献２】特開２００７−２３３３１６号公報
【特許文献３】登録実用新案第３００７０１２号公報
【発明の開示】
【発明が解決しようとする課題】
【０００５】
上記特許文献１に記載のものは、眼鏡フレームのテンプル（ツル）の内側に、弾性アームを取り付け、該アームの端部にパッドを取り付けたものである。このものは、上記パッドで弾性的に頬を挟圧するものであるから、眼鏡の保持力は大きいと思われるが、構造的に複雑であり、部品数も多くなるので、コストが高くなり、しかも頬を弾性的に押圧するので、頬に負担がかかることになり、違和感があったり、頬にパッドの痕がついたりするおそれがある。
【０００６】
また、上記特許文献２に記載のものは、テンプルの後端部に内側へ弓なりに湾曲する二股形状の支持片の前端を取り付け、前記支持片の内側片と外側片の対向位置に互いに反発し合う磁石をそれぞれ取り付けたもので、可撓性を有する内側片が両磁石の反発力で後頭部に押し付けられて眼鏡を保持するものである。しかしながら、このものも構造的に複雑で、部品数が多くなり、しかも頭部にかなりの負担がかかることが推測される。
【０００７】
さらに、上記特許文献３に記載のものは、眼鏡のツルを柔軟な塩化ビニル又は柔軟なアイオノマー樹脂で被覆したもので、構造的に簡単であるが、被覆層が柔軟とはいえ、使用中に耳裏の形状にうまくフィットするとは考えられないので、ずり落ち防止効果は十分であるとはいえない。
【０００８】
そこで、本発明は、構造的に簡単でありながら、上記従来のずり落ち防止策よりもさらに効果的なずり落ち防止策を提供することを課題としている。
【課題を解決するための手段】
【０００９】
本発明は、上記課題を解決するため、次のような構成を採用した。すなわち、本発明にかかるずり落ち防止加工方法は、眼鏡のツルの耳に掛ける部分の表面に微細な凹凸を形成する工程と、該微細な凹凸が形成されたツルの表面に適量の印象剤を盛り付ける工程と、該印象剤が固化しないうちに当該印象剤を盛り付けたツルを耳に掛けて該印象剤を眼鏡使用者の側頭部になじむ形状に成形する工程と、前記側頭部になじむ形状に成形された印象剤をそのまま固化させる工程と、固化した印象剤の塊を眼鏡のツルに接着剤で接着固定する工程とを経て、使用者の側頭部になじむ形状の印象剤の塊が眼鏡のツルに取り付けられた眼鏡を得ることを特徴としている。
【００１０】
また、本発明にかかる眼鏡は、眼鏡のツルの耳に掛ける部分に、使用者の側頭部の形状になじむ形状に成形された印象剤の塊からなるずり落ち防止部材が取り付けられていることを特徴としている。
【発明の効果】
【００１１】
本発明によれば、眼鏡のツルの耳に掛ける部分に使用者の側頭部になじむ形状の印象剤からなるずり落ち防止部材が取り付けられるので、ツルが使用者の耳裏と側頭部に密着し、この部分に不要な遊びがなくなる結果、眼鏡がずり落ちにくい。また、このずり落ち防止部材の取り付けは、既製の眼鏡のツルの表面を荒して凹凸を形成し、この部分に適量の印象剤を盛り付けて、実際に使用者が耳に掛けた状態で所定時間保持し固化させたのち固着するだけでよいので、構造的にも作業的にもきわめて簡単である。
【発明を実施するための最良の形態】
【００１２】
以下、本発明の実施の形態について具体的に説明する。
【００１３】
図１は、本発明に係る眼鏡を例示するもので、この眼鏡１は、左右一対のレンズ２，２と、該レンズを保持するフレーム３とを備えている。フレーム３は、直接レンズを保持するレンズ保持部４と、該レンズ保持部４の左右両側に取り付けられた左右一対のツル５，５とを備えている。ツル５は、蝶番部６により、レンズ保持部４に対し回動自在に取り付けられているので、不使用時にはツル５を折りたたんでおくことができる。場合によっては、ツルを折りたたみ式のものとせず、レンズ保持部４にほぼ直角に固定しておいてもよい。上記レンズを保持するレンズ保持部４の内側（使用者の鼻に臨む側）には、鼻パッド７と、左右のレンズ保持部４，４を連結する連結部８が設けられている。
【００１４】
上記ツル５は、前記蝶番部６から使用者の側頭部に沿って後方に伸び、その後端部が下向きに湾曲して、係合部９となっている。係合部９は、かならずしも湾曲した形状ではなく、ほぼ直線状であってもよい。いずれにしても、この係合部９を使用者の耳に引っ掛けることにより、眼鏡が使用者の顔に保持される。
【００１５】
この眼鏡１の上記係合部９には、図３にも示すように、ずり落ち防止部材１０が固着されている。このずり落ち防止部材１０は、印象剤の塊からなり、係合部９の耳裏の側頭部に接する部分に固着されている。印象剤からなるずり落ち防止部材１０の側頭部に接する外面は、使用者の側頭部の形状に対応する凹凸形状に成形されているので、図５に示すように、眼鏡を掛けたときにこのずり落ち防止部材１０が使用者の耳Ｙと側頭部Ｈとの間で側頭部に密着する結果、眼鏡のずり落ちが生じない。
【００１６】
つぎに、図２を参照しながら、この眼鏡のずり落ち防止加工方法について説明する。本発明で使用する眼鏡１は、市販の眼鏡でもよく、特別に誂えたものでもよい。要は、耳に掛けるツル５を備えているものであればよい。
【００１７】
この眼鏡のツル５の耳に掛ける部分に印象剤を盛り付ける。印象剤は、歯科医院等で歯型を写し取るために広く使用されているもので、Ａ，Ｂ２種の樹脂を混合することにより固化する公知のものである。市販の印象剤としては、例えば下記のようなものがある。
【００１８】
ＧＬ社製フュージョン（商品名）、  ＧＬ社製エクザファイン（商品名）、松風社製デントシリコン（商品名）、三金社製トシコン（商品名）、亀水社製ハイドレスクス（商品名）、トクヤマ社製インプリンシス（商品名）、ムツミ社製シークレス（商品名）等があり、これらはいずれもパテタイプのものである。また、外国系の製品としては、エクスプレス咬合採得材（商品名）、アクアジルイーヨーミックス（商品名）、オプトジルＰ（商品名）、コルトフラックスペースセット（商品名）等のパテタイプのものが知られている。
【００１９】
印象剤は、物体の表面形状や凹部の形状等を転写するもので、固化する際に膨張、収縮等の寸法変化がなく、対象物に付着せず、対象とする面の凹凸を精度良く転写してそのまま固化するものであればよい。
【００２０】
この印象剤を眼鏡のツルに盛り付けるが、ツルの表面は平滑であるのが一般的であるので、印象剤がしっかりと固着するように、あらかじめ対象とするツルの表面を適当な方法で荒しておくのが好ましい。この方法としては、例えばグラインダーで表面を削る方法や、ドリル等の工具で凹凸を形成する方法等がある。場合によっては、サンドブラスト処理等の方法で表面を荒してもよい。これにより、ツルの印象剤を付着させる部分の表面に微細な凹凸が形成され、印象剤がこの凹凸に係合して、剥がれにくくなる。
【００２１】
ツルに凹凸形成処理（表面荒し）を施したら、印象剤を構成する２種の樹脂を混合して練り、これを所定の位置に盛り付ける。この段階では、印象剤は粘土のような可塑性を有しており、ツルの荒した表面に押し付けると容易に付着する。ただし、この状態では、印象剤がツルに固着されているわけではないので、ツルから容易に引き剥がすことができる。
【００２２】
ツルの耳に掛ける部分の表面に印象剤を盛り付けたら、そのまま眼鏡を使用者の顔に取り付ける。すなわち、ツルの係合部９を耳に掛けて、眼鏡を使用者の顔に保持するが、この状態で、ツルに盛り付けた印象剤を側頭部裏面に押し付け、この部分の形状によくなじませる。このとき、レンズが使用者にもっとも適した位置に位置するように眼鏡を掛けておく。印象剤は、粘着性に乏しいので、毛髪や皮膚に付着することはない。
【００２３】
このようにして、印象剤を側頭部表面になじませた状態で、所定時間放置すると、当該印象剤が固化して、それ以上変形しなくなる。これにより、眼鏡のツルの耳に掛ける部分が使用者の耳裏の谷間の形状に適合する形状となり、眼鏡を掛けた状態でも遊びがなくなるので、眼鏡はしっかりと保持され、余程の外力が加わらない限りずり落ちるおそれはなくなる。印象剤が固化するに要する時間は短く、通常は数分ないし数十分である。なお、印象剤のツルからはみ出した部分は、カッター等で切り離して除去しておく。
【００２４】
印象剤が固化したら、一旦眼鏡を外して、所定形状に成形された印象剤１０の塊をツルから取り外す。しかる後、取り外した印象剤の塊を接着剤（例えば商品名「アロンアルファ」等の瞬間接着剤）で元のツルの係合部に接着固定する。
【００２５】
このようにして得られる眼鏡は、眼鏡のツルの耳と係合する部分が印象剤によって耳の裏面部の肌とうまく適合する形状に成形された状態となるので、側頭部や耳等の形状・寸法に個人差があっても各使用者にもっとも適した形状となり、ツルと耳との密着性が向上して、ずり落ちにくくなるのである。この方法では、耳や頭部に大きな圧力が付加されないので、ツルが接触する肌の部分に痕がついたり使用者が違和感や苦痛を受けたりするおそれは少ない。
【００２６】
図３は、側頭部に直接密着する部分のみに印象剤からなるずり落ち防止部材を取り付けた例を表すもので、通常は、このように側頭部に直接接触する部分のみにずりおち防止部材剤を取り付けておくだけで十分効果的であるが、場合によっては、ツルの両面、すなわち、耳裏に直接接する部分と、側頭部に接する部分の両方に取り付けておいてもよい。このようにすると、側頭部の形状にもなじむことになるので、より効果的であるが、ツルの両側に印象剤を盛り付けると、その分だけツルの厚みが増すので、耳に掛けにくくなるという問題点が生じる。また、このようにすると、印象剤からなるずり落ち防止部材が外部に露出するので、美観的に好ましくないものとなりやすい。なお、印象剤の盛り付けによってツルの厚みが増大しすぎる場合は、あらかじめツルのこの部分の厚みを薄くする加工を施しておくとよい。さらに、場合によっては、耳裏に直接接する部分にのみ印象剤を盛り付けておくことも考えられるが、耳は弾力的に多少変形するので、実験結果では、側頭部に接する面に盛り付けておくほうが効果的であった。
【００２７】
本発明の加工方法は、例えば、眼鏡店で眼鏡を販売するときに、サービスとして、あるいは適当な費用を受け取って、当該眼鏡に施すことにより、顧客に大きな満足感を与えることができる。また、眼鏡店や、印象剤を常備している歯科医院等で、客に対するサービスとして既製の眼鏡に加工を施すこともできる。
【図面の簡単な説明】
【００２８】
【図１】本発明の眼鏡の一実施の形態を表す概観図である。
【図２】本発明のずり落ち防止加工の手順を現すフローチャートである。
【図３】本実施の形態におけるツルの凹凸形成部分の側面図（ａ）および平面図（ｂ）である。
【図４】眼鏡の着用状態を表わす頭部の背面図である。
【符号の説明】
【００２９】
１              眼鏡
２              フレーム
３              レンズ
５              ツル
１０              ずり落ち防止部材
【図１】
2010060581.tif 000003
【図２】
2010060581.tif 000004
【図３】
2010060581.tif 000005
【図４】
2010060581.tif 000006